(57)【要約】      （修正有）【課題】寝かし付け動作補助具は、人に抱かれたままの状態であるため乳幼児に違和感を抱かせることなく入眠を促すと共に、寝かし付けを行う人の身体的負担を軽減させる。【解決手段】寝かし付け動作補助具１は、乳幼児８を抱いた人が座った状態で、該乳幼児８を上下方向に揺すって寝かし付けるために用いる補助具であって、前記乳幼児８を抱いた人の臀部と接する部位である座部２と、当該補助具を載置させる床と接する部位である接地部４と、前記座部２及び前記接地部４を連結する部位である中間部６と、を有する補助具であって、前記座部２が、当該補助具に座った前記乳幼児８を抱いた人の重心の移動に応じ、上下方向に揺動可能である。【選択図】図６
2014176603.tif 000002
【特許請求の範囲】
【請求項１】
乳幼児を抱いた人が該乳幼児を上下方向に揺すって寝かし付ける際に使用する寝かし付け動作補助具であって、
前記乳幼児を抱いた人の臀部と接する部位である座部と、
当該寝かし付け動作補助具を載置させる床と接する部位である接地部と、
前記座部及び前記接地部を連結する部位である中間部と、を有する寝かし付け動作補助具であって、
前記座部が、該座部上に臀部を乗せた前記乳幼児を抱いた人の重心の移動に応じ、上下方向に揺動可能であり、
前記乳幼児を抱いた人が、前記座部に、該乳幼児を抱いたままの状態で自身の臀部を乗せ、
前記乳幼児を抱いた人が、前記座部上に自身の臀部を乗せたままの状態で、自身の重心を移動させることによって、前記中間部に伸び縮み動作を行わせ、それに伴い前記座部を上下方向に揺れ動かし、
前記乳幼児が寝入るまで、前記乳幼児を抱いた人が、自身の重心を移動させ、該乳幼児が寝入ったら、自身の重心を移動させることを止め、前記座部の上下方向の揺れを止めることを特徴とする寝かし付け動作補助具。
【請求項２】
前記中間部が、前記乳幼児を抱いた人の重心の移動に基づいて前記座部を上下方向に揺動させる程度の弾力を備えるバネ部材を有し、
前記接地部が、放射状に広がる複数本の脚を有し、
前記座部と前記接地部とで前記バネ部材を挟み込んで該バネ部材を伸縮させることを特徴とする請求項１に記載の寝かし付け動作補助具。
【請求項３】
前記乳幼児を抱いた人の体重に応じ、前記中間部の弾力の大きさが調整可能であることを特徴とする請求項１に記載の寝かし付け動作補助具。
【発明の詳細な説明】
【技術分野】
【０００１】
乳幼児を寝かし付けるために用いる寝かし付け動作補助具（椅子）の技術に関する。
【背景技術】
【０００２】
乳幼児は、上下左右に揺すられていると、寝かし付け易いという経験則がある。より具体的な例を挙げるとすれば、大人が抱き軽く揺すったり、自動車のチャイルドシートに座った状態で、走行中の自動車の振動に伴い揺られたりすると、乳幼児は、すぐに寝付くものである。
一方で、いつも大人が乳幼児を抱いたままの状態でいたり、寝かせ付けのたびに自動車に乗ったりするのは大変手間の掛かることでもある。
【０００３】
そこで近年、寝かし付けの手間の軽減を考慮し、自動で揺れる揺り籠などの技術が提案されている（特許文献１、２など）。これら技術では、装置上に乳幼児を寝かせた上で、当該装置の機能を使って機械的に乳幼児を揺らし、寝かし付ける。
【先行技術文献】
【特許文献】
【０００４】
【特許文献１】実開平１−９７７４７号公報
【特許文献２】特開平７−２７５０７１号公報
【発明の概要】
【発明が解決しようとする課題】
【０００５】
しかしながら、上記技術においては、乳幼児を寝かせる場所が装置の上であるため、乳幼児が接する場所が固かったり、冷たかったりして、乳幼児にとっては違和感があるものであり、乳幼児がなかなか入眠できないという問題点があった。
【０００６】
また、上記技術においては、装置が規則的・機械的に乳幼児を揺らすことになるため、乳幼児にとってその揺れは違和感があるものとなって、乳幼児がなかなか入眠できないという問題点もあった。
【０００７】
そこで、本発明においては、上記の問題点に鑑み、人に抱かれたままの状態であるため乳幼児に違和感を抱かせることなく入眠を促すと共に、寝かし付けを行う人の身体的負担を軽減させる寝かし付け動作補助具を提供することを目的とする。
【課題を解決するための手段】
【０００８】
開示する寝かし付け動作補助具の一形態は、乳幼児を抱いた人が該乳幼児を上下方向に揺すって寝かし付ける際に使用する寝かし付け動作補助具であって、前記乳幼児を抱いた人の臀部と接する部位である座部と、当該寝かし付け動作補助具を載置させる床と接する部位である接地部と、前記座部及び前記接地部を連結する部位である中間部と、を有する寝かし付け動作補助具であって、前記座部が、該座部上に臀部を乗せた前記乳幼児を抱いた人の重心の移動に応じ、上下方向に揺動可能であり、前記乳幼児を抱いた人が、前記座部に、該乳幼児を抱いたままの状態で自身の臀部を乗せ、前記乳幼児を抱いた人が、前記座部上に自身の臀部を乗せたままの状態で、自身の重心を移動させることによって、前記中間部に伸び縮み動作を行わせ、それに伴い前記座部を上下方向に揺れ動かし、前記乳幼児が寝入るまで、前記乳幼児を抱いた人が、自身の重心を移動させ、該乳幼児が寝入ったら、自身の重心を移動させることを止め、前記座部の上下方向の揺れを止めることを特徴とする。
【０００９】
また、開示する寝かし付け動作補助具の一形態は、上記構成に加え、前記中間部が、前記乳幼児を抱いた人の重心の移動に基づいて前記座部を上下方向に揺動させる程度の弾力を備えるバネ部材を有し、前記接地部が、放射状に広がる複数本の脚を有し、前記座部と前記接地部とで前記バネ部材を挟み込んで該バネ部材を伸縮させることを特徴とする。
【００１０】
また、開示する寝かし付け動作補助具の一形態は、上記構成に加え、前記乳幼児を抱いた人の体重に応じ、前記中間部の弾力の大きさが調整可能であることを特徴とする。
【発明の効果】
【００１１】
開示する寝かし付け動作補助具は、人に抱かれたままの状態であるため乳幼児に違和感を抱かせることなく入眠を促すと共に、寝かし付けを行う人の身体的負担を軽減させる。
【図面の簡単な説明】
【００１２】
【図１】本実施の形態に係る寝かし付け動作補助具の一実施形態を示す図である。
【図２】本実施の形態に係る寝かし付け動作補助具の一実施形態を示す図である。
【図３】本実施の形態に係る寝かし付け動作補助具の一実施形態を示す図である。
【図４】本実施の形態に係る寝かし付け動作補助具の一実施形態を示す図である。
【図５】本実施の形態に係る寝かし付け動作補助具の一実施形態を示す図である。
【図６】本実施の形態に係る寝かし付け動作補助具の使用方法を説明する図である。
【発明を実施するための形態】
【００１３】
図面を参照しながら、本発明を実施するための形態について説明する。
（本実施の形態に係る寝かし付け動作補助具の構造）
【００１４】
図１乃至５を用いて、本実施の形態に係る寝かし付け動作補助具（以下、単に「椅子」という。）１の構造について説明する。図１乃至５はそれぞれ、椅子１の一の実施形態を示した図である。
【００１５】
椅子１は、乳幼児８を抱いた人１０が座り、乳幼児８を抱いたままの状態で人１０が体を上下に揺することで、乳幼児８を気持ち良く寝かし付けるための器具である。乳幼児８は、人１０に抱かれたままの状態で上下に揺すられるため、人肌の温もりを感じつつ揺られながら、入眠を促される。一方、乳幼児８を寝かし付けたい人１０は、立った状態ではなく、椅子１に腰を下ろした状態で、乳幼児８を上下に揺らし、寝かし付けができるので、身体的な負担が小さい。
【００１６】
図１乃至５の各図で示すように、椅子１は、座部２、接地部４、中間部６を有する。座部２は、人（特に、乳幼児８を抱いた人）１０が座る場合に、臀部が接する部位である。座部２は、座面ともいう。また、座部２は、人１０が体を上下左右に揺らし重心を移動させることに伴い、上下方向に揺れ動く。
【００１７】
接地部４は、椅子１を床や地面などに載置させるとき、床や地面に接する部位である。接地部４は、椅子１の足と呼ばれることもある。中間部６は、座部２と接地部４とを連結する部位である。
次に、座部２が上下方向へ揺動する動作原理について説明する。
人１０が椅子１に座った状態で自身の重心を移動させた場合、座部２は、下位置や上位置に移動し、上下方向に揺動する。
【００１８】
このような座部２の揺動運動は、座部２自身が、人１０の重心移動に基づき撓んだり、元の形状に戻ったりすることによって生じる動きであっても良い。このとき、座部２の自身が撓んだり原形状に戻ったりする弾性力は、乳幼児８及び人１０の体重や、乳幼児８の寝入り易い揺れ幅に応じて、適宜調整することができる。
【００１９】
また、座部２の揺動運動は、人１０の重心移動に基づき、中間部６が上下方向に伸び縮みすることによって生じる動きであっても良い。中間部６の上下方向に伸び縮みする弾性力は、乳幼児８及び人１０の体重や、乳幼児８の寝入り易い揺れ幅に応じて、適宜調整することができる。
【００２０】
さらに、座部２の揺動運動は、先に説明した、座部２の撓みによる弾性力及び中間部６の伸び縮みによる弾性力の両方の作用に基づき発生する形態でも良い。この場合であっても、座部２及び中間部６が備える弾性力は、乳幼児８及び人１０の体重や、乳幼児８の寝入り易い揺れ幅に応じて、適宜調整することができる。
【００２１】
図１で示すように、椅子１は、中間部６がバネ部材１２を含む構成であっても良い。また、図２で示すように、椅子１は、中間部６がサスペンション部材１４を含む構成であっても良い。図１及び２で示す椅子１は、中間部６に、座部２を上下方向へ揺動運動させるための弾性力が備わっている。
一方、図３で示すように、椅子１は、オットマン（Ottoman）のような形態であっても良い。
【００２２】
他方、図４で示すように、椅子１は、ゴム製エアクッションのような形態であっても良く、図示はしていないが、球形状の弾性体である、所謂バランスボールのような形態であっても良い。
また、図５で示すように、椅子１は、中間部６の側面が蛇腹形状になって弾性力を発揮する形態であっても良い。
図３乃至５で示す椅子１は、座部２及び中間部６の少なくとも一方に、座部２を上下方向に揺動運動させるための弾性力が備わっている。
（本実施の形態に係る寝かし付け動作補助具の使用方法）
【００２３】
図６を用いて、本実施の形態に係る椅子１の使用方法について説明する。図６は、図１で示した椅子１の使用方法について説明する図である。ここでは、図１で例示した椅子１の使用方法について説明するが、図２乃至５で例示した椅子１の使用方法についても、下記の使用方法と同様である。
【００２４】
乳幼児８を寝かせ付けたい人１０は、椅子１の座部２に、乳幼児８を抱いたままの状態で腰を下ろす。このとき、座部２は、多少沈み込むことは有っても、所定の位置（高さ）で安定する。
【００２５】
次に、人１０は、座部２に腰を下ろしたままの状態で、自身の重心を移動させることによって、中間部６に伸び縮み動作を行わせ、それに伴い座部２が上下方向に揺れ動く。このとき、座部２（中間部６）の揺れ幅の大きさは、人１０の体の動かし方（重心の移動量）によって、適宜調整することができる。
抱かれた乳幼児８が寝入るまで、人１０は、自身の体を上下に揺らし続け、乳幼児８が寝入ったら、その上下運動を停止させる。
【００２６】
このように椅子１を使用し乳幼児８の寝かし付けを行うことによって、乳幼児８に違和感を抱かせることなく入眠を促すと共に、寝かし付けを行う人１０の身体的負担を軽減させることができる。
（総括）
椅子１は、人１０に抱かれている安心や人肌の温もりを感じる状態で揺られることにより、乳幼児８に快適な入眠を促す。
椅子１は、乳幼児８を寝かせ付ける人１０が、腰を下ろした状態で、乳幼児８の寝かし付けを行うことができるため、人１０の身体的負担を小さくする。
（付記１）
乳幼児を抱いた人が座った状態で、該乳幼児を上下方向に揺すって寝かし付けるために用いる椅子であって、
前記乳幼児を抱いた人の臀部と接する部位である座部と、
当該椅子を載置させる床と接する部位である接地部と、
前記座部及び前記接地部を連結する部位である中間部と、を有する椅子であって、
前記座部が、当該椅子に座った前記乳幼児を抱いた人の重心の移動に応じ、上下方向に揺動可能であることを特徴とする椅子。
（付記２）
前記中間部が、前記乳幼児を抱いた人の重心の移動に基づいて前記座部を上下方向に揺動させる程度の弾力を有することを特徴とする付記１に記載の椅子。
（付記３）
前記中間部が、上下方向の弾力を備えるバネ部材を有することを特徴とする付記２に記載の椅子。
（付記４）
前記乳幼児を抱いた人の体重に応じ、前記中間部の弾力の大きさが調整可能であることを特徴とする付記２に記載の椅子。
（付記５）
【００２７】
前記乳幼児を抱いた人の重心の移動に基づいて前記座部が撓むことによって、前記座部が、上下方向に揺動可能であることを特徴とする付記１又は２に記載の椅子。
（付記６）
前記乳幼児を抱いた人の体重に応じ、前記座部の弾力の大きさが調整可能であることを特徴とする付記５に記載の椅子。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】
１    寝かし付け動作補助具（椅子）
２    座部
４    接地部
６    中間部
８    乳幼児
１０  乳幼児を寝かせ付ける人（親など）
１２  バネ部材
１４  サスペンション部材
【図１】
2014176603.tif 000003
【図２】
2014176603.tif 000004
【図３】
2014176603.tif 000005
【図４】
2014176603.tif 000006
【図５】
2014176603.tif 000007
【図６】
2014176603.tif 000008